(57)【特許請求の範囲】
【請求項１】
光を透過させる透過部を備えるホルダー本体と、
前記透過部の上に置かれたフィルムを前記ホルダー本体との間に挟み、前記フィルムから見て前記透過部の反対側に位置する窓を備えるカバーと、を備え、
前記ホルダー本体は、前記フィルムが前記ホルダー本体と前記カバーとの間に挟まれた状態で前記透過部はフラットベッドスキャナーの上側の蓋に設けられた光源側に位置し且つ前記窓は前記フラットベッドスキャナーの下側の原稿台内に設けられた撮像部側に位置するように、前記フラットベッドスキャナーの前記原稿台上に前記ホルダー本体を置いて位置合わせをするとともに、前記ホルダー本体の前記カバーがセットされる面側から突出している位置合わせ部を有する、ことを特徴とするフィルムホルダー。
【請求項２】
光を透過させる透過部を備えるホルダー本体と、
前記透過部の上に置かれたフィルムを前記ホルダー本体との間に挟み、前記フィルムから見て前記透過部の反対側に位置する窓を備えるカバーと、を備え、
前記ホルダー本体は、前記フィルムが前記ホルダー本体と前記カバーとの間に挟まれた状態で、前記透過部はフラットベッドスキャナーの光源側に位置し且つ前記窓は前記フラットベッドスキャナーの原稿台の内部に設けられた撮像部側に位置するように前記フラットベッドスキャナーの前記原稿台上に前記ホルダー本体を置いて位置合わせをする位置合わせ部と、前記ホルダー本体から前記原稿台側に突出して前記原稿台に接して前記原稿台と前記ホルダー本体との距離を規定する規定部と、を有する、ことを特徴とするフィルムホルダー。
【請求項３】
光を透過させる透過部を備えるホルダー本体の前記透過部の上に置かれたフィルムが、当該ホルダー本体と窓を備えるカバーとで挟まれて、当該窓が当該透過部の反対側に位置する状態となるフィルムセット工程と、
前記フィルムが前記ホルダー本体と前記カバーとの間に挟まれた状態で、前記透過部は上方に存在するフラットベッドスキャナーの蓋に設けられた光源側に位置し且つ前記窓は前記光源よりも下方に存在する前記フラットベッドスキャナーの原稿台内に設けられた撮像部側に位置するように、前記ホルダー本体と前記カバーとを有するフィルムホルダーを前記フラットベッドスキャナーの前記原稿台上に置いて前記原稿台に対して位置合わせするフィルムホルダー位置合わせ工程と、
前記光源により前記フィルムを照射し、前記撮像部が前記フィルムを通過した光を受光することにより前記フィルムを読み取って画像データを生成する読取工程と、を備え、
前記フィルムホルダー位置合わせ工程では、前記ホルダー本体に設けられ、前記ホルダー本体の前記カバーがセットされる面側から突出している位置合わせ部を用いて位置合わせする、ことを特徴とする画像データの生成方法。
【請求項４】
光を透過させる透過部を備えるホルダー本体の前記透過部の上に置かれたフィルムが、当該ホルダー本体と窓を備えるカバーとで挟まれて、当該窓が当該透過部の反対側に位置する状態となるフィルムセット工程と、
前記フィルムが前記ホルダー本体と前記カバーとの間に挟まれた状態で、前記透過部は上方に存在するフラットベッドスキャナーの蓋に設けられた光源側に位置し且つ前記窓は前記光源よりも下方に存在する前記フラットベッドスキャナーの原稿台内に設けられた撮像部側に位置するように、前記ホルダー本体と前記カバーとを有するフィルムホルダーを前記フラットベッドスキャナーの前記原稿台上に置いて前記原稿台に対して位置合わせするフィルムホルダー位置合わせ工程と、
前記光源により前記フィルムを照射し、前記撮像部が前記フィルムを通過した光を受光することにより前記フィルムを読み取って画像データを生成する読取工程と、を備え、
前記フィルムホルダー位置合わせ工程では、前記ホルダー本体に設けられ、前記ホルダー本体から前記原稿台側に突出して前記原稿台に接して前記原稿台と前記ホルダー本体との距離を規定する規定部を用いて前記原稿台と前記ホルダー本体との距離を保つ、ことを特徴とする画像データの生成方法。
【請求項５】
前記フィルムホルダー位置合わせ工程では、前記位置合わせ部とは別に前記ホルダー本体に設けられ、前記ホルダー本体から前記原稿台側に突出して前記原稿台に接して前記原稿台と前記ホルダー本体との距離を規定する規定部を用いて前記原稿台と前記ホルダー本体との距離を保つ、ことを特徴とする請求項３に記載の画像データの生成方法。
【請求項６】
フィルムを保持するためのフィルムホルダーと、前記フィルムを読み取るためのフラットベッドスキャナーとを備えるスキャンシステムであって、
前記フラットベッドスキャナーは、
前記フィルムホルダー及び反射原稿のいずれも乗せることが可能な原稿台と、
前記原稿台内に設けられた撮像部と、
前記原稿台を覆う蓋と、
前記蓋に設けられた光源と、を備え、
前記フィルムホルダーは、
光を透過させる透過部を備えるホルダー本体と、
前記透過部の上に置かれたフィルムを前記ホルダー本体との間に挟み、前記フィルムから見て前記透過部の反対側に位置する窓を備えるカバーと、を備え、
前記ホルダー本体は、前記フィルムが前記ホルダー本体と前記カバーとの間に挟まれた状態で前記透過部は前記フラットベッドスキャナーの上側の前記光源側に位置し且つ前記窓は前記フラットベッドスキャナーの下側の前記撮像部側に位置するように、前記フラットベッドスキャナーの前記原稿台上に前記ホルダー本体を置いて前記フィルムホルダーの位置合わせをするとともに、前記ホルダー本体の前記カバーがセットされる面側から突出している位置合わせ部を有する、
ことを特徴とするスキャンシステム。
【請求項７】
フィルムを保持するためのフィルムホルダーと、前記フィルムを読み取るためのフラットベッドスキャナーとを備えるスキャンシステムであって、
前記フラットベッドスキャナーは、
前記フィルムホルダー及び反射原稿のいずれも乗せることが可能な原稿台と、
前記原稿台内に設けられた撮像部と、
前記原稿台を覆う蓋と、
前記蓋に設けられた光源と、を備え、
前記フィルムホルダーは、
光を透過させる透過部を備えるホルダー本体と、
前記透過部の上に置かれたフィルムを前記ホルダー本体との間に挟み、前記フィルムから見て前記透過部の反対側に位置する窓を備えるカバーと、を備え、
前記ホルダー本体は、前記フィルムが前記ホルダー本体と前記カバーとの間に挟まれた状態で、前記透過部は前記フラットベッドスキャナーの前記光源側に位置し且つ前記窓は前記フラットベッドスキャナーの前記原稿台内に設けられた前記撮像部側に位置するように前記フラットベッドスキャナーの前記原稿台上に前記ホルダー本体を置いて位置合わせをする位置合わせ部と、前記ホルダー本体から前記原稿台側に突出して前記原稿台に接して前記原稿台と前記ホルダー本体との距離を規定する規定部と、を有する、
ことを特徴とするスキャンシステム。
【請求項８】
ホルダー本体は、前記フィルムが前記ホルダー本体と前記カバーとの間に挟まれて前記原稿台の上に前記窓を下側にして置かれた状態で前記ホルダー本体から前記原稿台側に突出して前記原稿台に接して前記原稿台と前記ホルダー本体との距離を規定する規定部を、前記位置合わせ部とは別に有する、ことを特徴とする請求項６に記載のスキャンシステム。
【発明の詳細な説明】
【技術分野】
【０００１】
本発明は、フィルムホルダー、画像データの生成方法およびスキャンシステムに関する。
【背景技術】
【０００２】
写真フィルム等の透過原稿（以下、フィルム）を読み取る読取装置（スキャナー）が知られている。フィルムは、フィルムホルダーに保持された状態でスキャナーに読み取られる。このような技術に関し、フィルムの中央部が凸に湾曲するようにフィルムの両端部を保持する保持部と、前記凸に湾曲したフィルムを凸方向から押さえて位置決めする透明部と、を備えるフィルムホルダーが知られている（特許文献１参照）。
【先行技術文献】
【特許文献】
【０００３】
【特許文献１】特許第４６５５５４６号
【発明の概要】
【発明が解決しようとする課題】
【０００４】
特許文献１においては、フィルムホルダーは、透明部（透明板）の上に置かれたフィルムの両端部を保持部によって保持（ベースとカバーとで挟持）した状態で、透明部が下方からフィルムを支持するそのままの姿勢でスキャナーに挿入される。これにより、フィルムホルダーの下方に設置された光源から光が照射され、フィルムの透過光像がフィルムホルダーの上方に設置されたイメージセンサーの受光面に結像する。
【０００５】
しかしながら、前記と同様の姿勢でフィルムホルダーをフラットベットスキャナーにセットする場合、次のような問題が生じる。つまり、フラットベッドスキャナーの透明なガラスやプラスチックの面を有する原稿台に前記のようにフィルムホルダーを置くと、フィルムと原稿台内に設置されたイメージセンサーとの間に、前記透明なガラスやプラスチックの面の他に、フィルムホルダーの透明部が位置してしまう。読み取りの対象となるフィルムとイメージセンサーとの間に当該透明部が存在すると、当該透明部の表面の汚れ等で光が拡散してしまい、イメージセンサーの受光面に結像される像がぼやけてしまう。
【０００６】
本発明は少なくとも上述の課題を解決するためになされたものであり、フィルムの読み取りの画質を向上させることが可能なフィルムホルダー、画像データの生成方法およびスキャンシステムを提供する。
【課題を解決するための手段】
【０００７】
本発明の態様の一つは、フィルムホルダーは、光を透過させる透過部を備えるホルダー本体と、フィルムを前記ホルダー本体との間に挟んだ状態で、前記フィルムから見て前記透過部の反対側に位置する窓を備えるカバーと、前記フィルムが前記ホルダー本体と前記カバーとの間に挟まれた状態で前記透過部はスキャナーの光源側に位置し且つ前記窓は前記スキャナーの撮像部側に位置するように、前記スキャナーに対して位置合わせをする位置合わせ部と、を備える。
【０００８】
当該構成によれば、フィルムをホルダー本体とカバーとの間に挟んだ状態のフィルムホルダーは、透過部がスキャナーの光源側に位置し且つ窓がスキャナーの撮像部側に位置するように、スキャナーに対して位置合わせされる。そのため、フィルムとスキャナーの撮像部（イメージセンサー）との間にフィルムホルダーの透過部が位置することが確実に回避され、読み取りによって得られる画像がぼやけることが回避される。
【０００９】
本発明の態様の一つは、フィルムホルダーは、前記スキャナーの前記撮像部が収容された原稿台に接して当該原稿台と前記ホルダー本体との距離を規定する規定部を、前記ホルダー本体における前記透過部の周囲の枠部と前記カバーにおける前記窓の周囲の枠部とが重複する範囲に有する。
当該構成によれば、規定部は、ホルダー本体における透過部の周囲の枠部とカバーにおける窓の周囲の枠部とが重複する範囲に形成されている。つまり、規定部はできるだけフィルムに近い位置に設けられているため、スキャナーに対するフィルムの位置が安定し、読み取りによって得られる画質も安定する。
【００１０】
前記規定部は、前記ホルダー本体と前記カバーとの少なくとも一方に形成される。
前記規定部が前記ホルダー本体に形成される場合、前記カバーは、前記ホルダー本体が有する前記規定部を貫通させる貫通孔を有する。これにより、規定部は、確実に原稿台に接することができる。
また、前記貫通孔は、前記窓と一体となって形成されているとしてもよい。かかる構成によれば、カバーに窓および貫通孔を形成するための加工の手間が少なくて済む。
【００１１】
本発明の態様の一つは、前記規定部は、前記ホルダー本体に対して移動することにより前記原稿台と前記ホルダー本体との距離を異なる距離のうちの一つの距離に保持可能である。
当該構成によれば、ユーザーは、原稿台とホルダー本体との距離を容易に調整することができる。
【００１２】
なお、前記カバーは、前記ホルダー本体よりも小さい。
かかる構成によれば、ホルダー本体に載せたフィルムをホルダー本体とカバーとで挟む動作が非常に楽になる。
【００１３】
本発明の技術的思想は、上述したようなフィルムホルダーとは別の物や方法によって実現されてもよい。例えば、光を透過させる透過部を備えるホルダー本体に置かれたフィルムが、当該ホルダー本体と窓を備えるカバーとで挟まれて、当該窓が当該透過部の反対側に位置する状態となるフィルムセット工程と、前記フィルムが前記ホルダー本体と前記カバーとの間に挟まれた状態で、前記透過部は上方に存在するスキャナーの光源側に位置し且つ前記窓は前記光源よりも下方に存在する前記スキャナーの撮像部側に位置するように、前記ホルダー本体と前記カバーとを有するフィルムホルダーを前記スキャナーに対して位置合わせするフィルムホルダー位置合わせ工程と、前記光源により前記フィルムを照射し、前記撮像部が前記フィルムを通過した光を受光することにより前記フィルムを読み取る読取工程と、を備えることを特徴とする読取方法を一つの発明として捉えることができる。
また、上述したような特徴を有するフィルムホルダーと、フィルムを読み取るためのスキャナーとを備えるスキャンシステムを、一つの発明として捉えることができる。
【図面の簡単な説明】
【００１４】
【図１】フィルムホルダーの使用方法を例示する斜視図である。
【図２】スキャナーの外観を例示する斜視図である。
【図３】スキャナーにフィルムホルダーが設置された状態を例示する斜視図である。
【図４】スキャナーの構成を例示するブロック図である。
【図５】ホルダー本体の一部およびカバーを例示する平面図である。
【図６】規定部等の断面図である。
【図７】ホルダー本体の一部およびカバーの他の例を示す平面図である。
【図８】ホルダー本体の一部およびカバーの他の例を示す平面図である。
【図９】他の例にかかる規定部等の斜視図である。
【図１０】他の例にかかる規定部等の平面図等である。
【発明を実施するための形態】
【００１５】
以下、図面を参照しながら本発明の実施形態を説明する。
図１は、本実施形態にかかるフィルムホルダー１０の使用方法を斜視図により示している。フィルムホルダー１０は、略矩形のホルダー本体１１と、略矩形のカバー１８とを含む。カバー１８の外周形状は、ホルダー本体１１の外周形状よりも小さい。ホルダー本体１１およびカバー１８はプラスチック等により形成されている。ホルダー本体１１は、中央部が略矩形にくり抜かれた基体と、当該基体のくり抜かれた範囲に保持された板状の透過部１４とを含む。透過部１４は、光を透過させることができ、ガラスやプラスチック等により形成されている。透過部１４は、その表面が拡散面とされている。
【００１６】
ホルダー本体１１は、一方の面１２において、透過部１４の周囲に面１２よりも凹んだ枠状の凹部１３を有する。カバー１８は、中央部が略矩形にくり抜かれて何も設けられていない枠である。カバー１８の当該くり抜かれた範囲を窓１９と呼ぶ。カバー１８は、一方の短辺がホルダー本体１１に対してヒンジ２５（図５，７参照）等で連結されており、当該短辺を軸にしてホルダー本体１１に対して開閉可能である。図１Ａは、カバー１８が開いた状態を示し、図１Ｂは、カバー１８が閉じた状態を示している。カバー１８は、閉じたときにホルダー本体１１の凹部１３に収容される。
【００１７】
スキャナーによる読み取りの対象となるフィルム３０は、机等の上にホルダー本体１１が置かれ、カバー１８が開いた状態において、面１２側から透過部１４の上に置かれる（図１Ａ）。このとき、フィルム３０は、表面が上側（カバー１８側）を向き、裏面が下側（透過部１４側）を向くように置かれる。次に、カバー１８が閉じられることにより、フィルム３０の縁が凹部１３とカバー１８の凹部１３に相対する面１８ａとで挟まれて、フィルム３０がフィルムホルダー１０に保持される（図１Ｂ）。これにより、窓１９はフィルム３０を挟んで透過部１４の反対側に位置することとなる。つまり、フィルム３０の一方の面（裏面）は透過部１４に接触し、フィルム３０の他方の面（表面）は窓１９を介して外部に露出する。なお、フィルム３０を挟持する部分をフィルム両端保持部と呼んでもよい。図１Ａ，１Ｂおよびこれら図に関する説明は、特許請求の範囲における「フィルムセット工程」を示していると言える。
【００１８】
なお、カバー１８が閉じられたとき、カバー１８はホルダー本体１１に係止される。当該係止のための具体的構成は特に限定されない。例えば、カバー１８と凹部１３との一方に突起や爪が形成され且つ他方に当該突起や爪を受け入れるための凹部が形成され、当該突起や爪と凹部とが係合し合うことで、カバー１８はホルダー本体１１に係止される。
【００１９】
次に、フィルム３０を保持した状態のフィルムホルダー１０は、反転させられる。これにより、フィルムセット工程までは上を向いていた面１２が下を向き、ホルダー本体１１の面１２の反対側の面１７が上を向いた状態となる（図１Ｃ）。ホルダー本体１１は、その縁の一部を延伸させた延伸部１５を有し、延伸部１５は、面１２から突出する円柱状の突起１６を有する。延伸部１５および突起１６は、ホルダー本体１１の縁の２箇所に形成されている。突起１６は、特許請求の範囲における「位置合わせ部」の一例に該当する。
【００２０】
図２は、スキャナー４０の外観を斜視図により簡易的に示している。スキャナー４０は、いわゆるフラットベッドスキャナーである。スキャナー４０は、本体部４１と蓋部４５とを含む。蓋部４５は、一辺が本体部４１に対して不図示のヒンジ等で連結されており、当該一辺を軸にして本体部４１に対して開閉可能である。本体部４１の上面は原稿台４２であり、原稿台４２は中央部に透明なガラスやプラスチックの面（例えば、プラテンガラス４３）を有する。本体部４１は、内部に撮像部を収容している。さらに本体部４１は、原稿台４２の所定位置に、位置合わせ用の穴４４を形成している。各穴４４は、フィルムホルダー１０の各突起１６を挿入するための穴であり、各突起１６の数や位置や形状に合せて形成されている。穴４４を、スキャナー４０側の位置合わせ部と呼んでも良い。蓋部４５の下面（原稿台４２と相対する面）は、中央部に透明なガラスやプラスチックの面を有する。蓋部４５は、内部に光源を収容している。
【００２１】
このような構成において、図３に示すように、図１Ｃの姿勢のフィルムホルダー１０は、原稿台４２（プラテンガラス４３）上に置かれる。このとき、フィルムホルダー１０の各突起１６が原稿台４２の各穴４４に挿入されることにより、フィルムホルダー１０がスキャナー４０に対して位置決めされる。つまり、ホルダー本体１１とカバー１８との間にフィルム３０を挟んだ状態のフィルムホルダー１０は、位置合わせ部の機能により、透過部１４が光源側に位置し且つ窓１９が撮像部側に位置するように、スキャナー４０に対して位置合わせされる。
【００２２】
図３および当該図に関する説明は、特許請求の範囲における「フィルムホルダー位置合わせ工程」を示していると言える。フィルムホルダー１０が図３のように設置された後、スキャナー４０の蓋部４５が閉じられて、スキャナー４０によるフィルム３０の読み取りが開始される。フィルムホルダー１０およびスキャナー４０を含む構成を、スキャンシステム７０と呼んでも良い。
【００２３】
図４は、蓋部４５が閉じられた状態のスキャナー４０の構成を簡易的に例示するブロック図である。また図４では、フィルム３０を上述のように保持したフィルムホルダー１０がプラテンガラス４３に置かれた状態も併せて簡易的に例示している。蓋部４５は、上述したように内部に光源５１を有する。一方、本体部４１は、内部にミラー４６、レンズ４７、イメージセンサー４８、アナログフロントエンド（ＡＦＥ）４９、画像処理部５０等を有する。光源５１、レンズ４６およびミラー４７は、フィルムホルダー１０に保持されたフィルム３０の透過光像をイメージセンサー４８の受光面に結像させる光学系である。光源５１が発光すると、光源５１が発した光は透過部１４を透過する際に散乱してフィルム３０を照射する。フィルム３０の透過光は窓１９（図４では不図示。）を通過し、ミラー４６及びレンズ４７を経てイメージセンサー４８（撮像部）の受光面に到達する。
【００２４】
イメージセンサー４８は光電変換素子を備え、ＣＣＤリニアイメージセンサ、ＣＭＯＳリニアイメージセンサ等で構成される。イメージセンサー４８は、受光面で受光した光を各光電変換素子で光電変換し、走査線上の画像の濃淡に相関する電気信号を出力する。すなわち、イメージセンサー４８によってフィルム３０の読み取りが行われる（読取工程）。ＡＦＥ４９は、イメージセンサー４８から出力された電気信号に対して、ＣＤＳ（相関二重サンプリング）等によるノイズ除去、増幅、Ａ／Ｄ変換等の処理を施す。画像処理部５０は、ガンマ補正、鮮鋭化処理、モアレの除去処理、シェーディング補正、欠陥画素の補間、ホワイトバランスの補正等の機能を有するＡＳＩＣであり、これら機能による各処理をＡＦＥ４９から出力されたデジタル信号（画像データ）に対して施す。むろんスキャナー４０は、このように取得した画像データを、不図示の通信インタフェースを介して、パーソナルコンピューター等の外部装置へ送信することができる。
【００２５】
このように本実施形態によれば、フィルムホルダー１０は、ホルダー本体１１の透過部１４の上に置かれたフィルム３０をホルダー本体１１とカバー１８とで挟んだ状態（図１Ｂ）から反転させられ、当該反転した姿勢のまま（図１Ｃ）、フラットベッドスキャナー（スキャナー４０）の原稿台４２上に設置される（図３）。そのため、フラットベッドスキャナーの構造において上方に在る光源側に透過部１４が位置し且つ下方に在る撮像部側に窓１９が位置することとなる。この結果、フィルム３０と撮像部との間にフィルムホルダー１０の透過部１４が位置することが確実に回避され、撮像部によるフィルム３０の読み取りで得られる画像データがぼやけることが回避される。つまり本実施形態は、フィルム３０の読み取りによって得られる画質の向上という効果を奏する。
【００２６】
また、フィルムホルダー１０を上述のように反転させることで以下の効果も生じる。フィルムホルダー１０を反転させないで（窓１９が上を向き透過部１４が下を向いた状態で）原稿台４２に置いた場合、撮像部によって読み取られる画像は、反射原稿を読み取る場合と比べて、左右が逆となった像（鏡像）となるため、画像の左右を反転させる処理が必要となる。このような反転処理は、スキャナー４０やスキャナードライバー等のＰＣソフト側の負担となり一定の時間を必要とする。本実施形態では、フィルムホルダー１０を上述のように反転させるため、撮像部によって読み取られる画像は反射原稿を読み取る場合と同様の左右正像となる。そのため、上述の反転処理をスキャナー４０やスキャナードライバー等のＰＣソフトが実行する必要が無くなり、スキャナー４０やスキャナードライバー等のＰＣソフトの処理負担が軽減される。
【００２７】
また本実施形態では、フィルムホルダー１０の面１２を下側に向け面１７を上側に向ける（フィルムホルダー１０を反転させる）ことで、フィルムホルダー１０の各突起１６が原稿台４２の各穴４４の位置に一致する。もし、フィルムホルダー１０を反転させていなければ、各突起１６が蓋部４５に当たり、蓋部４５をきちんと閉じることができない。つまり、ユーザーは、フィルムホルダー１０を反転させないとフィルムホルダー１０をスキャナー４０に正しく設置できないため、フィルムホルダー１０の設置時の姿勢の間違いを確実に無くすことができる。
【００２８】
また、フィルムホルダー１０は上述したように透過部１４を有する。そのため、ホルダー本体１１とカバー１８とでフィルム３０を挟持しようとするとき、透過部１４とその周りのホルダー本体１１（フィルム両端保持部）が床の役割を果たし、フィルム３０が落下することが防止される。また、透過部１４によってフィルム３０の湾曲が矯正され、フィルム３０の平坦性が確保される。そのため、フィルム３０の湾曲に起因する画像のボケが回避され、イメージセンサー４８に結像される画像が鮮鋭なものとなる。また、透過部１４の表面は上述したように光を拡散させる拡散面とされている。そのため、フィルム３０と透過部１４との間に微小な隙間が形成されている場合に、いわゆるニュートンリングが発生することを防止できる。
【００２９】
さらに、透過部１４に対するフィルム３０の密着度を高め、フィルム３０の窓１９から露出する部分の平坦性をより安定させるために、特許第４６５５５４６号に記載された保持部（斜面）の形状を、フィルム両端保持部（ホルダー本体１１の凹部１３と、凹部１３に相対するカバー１８の面１８ａ）に採用してもよい。このような斜面を有するフィルム両端保持部によってフィルム３０の縁が挟持されることで、フィルム３０は透過部１４側に凸に湾曲し、凸に湾曲した面が透過部１４に押さえられる。その結果、透過部１４にフィルム３０が密着する。また、縁がフィルム両端保持部によって挟持された状態では、フィルム３０は上述のように透過部１４に押し付けられた姿勢を維持する。そのため、上述したように、フィルムホルダー１０をスキャナー４０に置くときに反転させても、フィルムホルダー１０に保持されているフィルム３０が下側の窓１９から垂れ下がることが回避される。
【００３０】
フィルムホルダー１０は、複数枚のフィルム３０を同時に挟持できるように、フィルム３０を挟持するためのスペース（カバー１８と透過部１４との対）を複数並列させて有しても良い。ただし本実施形態では、フィルムホルダー１０は、このようなフィルム３０を挟持するためのスペースを一箇所のみとしている。当該構成により、フィルム３０の縁を挟持するための部分（カバー１８および凹部１３）の太さを確保し易く、かつホルダー本体１１の面積（フィルム３０と重ならない部分の面積）も確保し易い。これにより、フィルムホルダー１０の剛性が向上する。そのため、スキャナー４０に設置されたときのフィルムホルダー１０の歪み（フィルム３０の歪み）が抑制され、フィルム３０全体の原稿台４２との距離が安定し、高い画質の読み取り結果が得られる。また、フィルム３０を挟持するためのスペースが複数有り一部のスペースにフィルム３０が挟持されていない場合、当該一部のスペースを介して光が進入して読み取り品質を低下させる虞が有るが、本実施形態ではこのような虞が無い。
【００３１】
本実施形態では、フィルムホルダー１０はさらに規定部２０を備えるとしてもよい。規定部２０とは、フィルムホルダー１０がスキャナー４０の原稿台４２に置かれたときに、原稿台４２（プラテンガラス４３）に接して原稿台４２とホルダー本体１１との距離を規定する部材である。また、規定部２０は、ホルダー本体１１に対して移動することにより原稿台４２とホルダー本体１１との距離を異なる距離のうちの一つの距離に保持可能である。このようにすることで、製造バラツキがあったとしてもフィルム３０の位置を最適な位置（ピントが合う位置）に保持することが可能になる。フィルムホルダー１０は、規定部２０を、ホルダー本体１１における透過部１４の周囲の枠部とカバー１８における窓１９の周囲の枠部とが重複する範囲に有する。ホルダー本体１１における透過部１４の周囲の枠部には、凹部１３が該当する。また、カバー１８自体が枠形状であるため、カバー１８における窓１９の周囲の枠部とは、カバー１８そのものを指すと解釈しても良い。
【００３２】
規定部２０は、ホルダー本体１１における透過部１４の周囲の枠部とカバー１８における窓１９の周囲の枠部とが重複する範囲に形成されるものであるから、ホルダー本体１１側に形成されていてもよいし、カバー１８側に形成されていてもよい。以下では、規定部２０がホルダー本体１１側に形成されている例を、図５〜７を用いて説明する。
【００３３】
図５は、ホルダー本体１１の一部およびカバー１８を、ホルダー本体１１の面１２側から例示している。図５においては、カバー１８は閉じられている。図５によれば、カバー１８は、その複数箇所（例えば４箇所）に貫通孔２１を形成している。貫通孔２１は、規定部２０を貫通させるための孔である。図５に示すように、貫通孔２１内に規定部２０が設けられている。
【００３４】
図６は、図５内のＡ‐Ａ線による断面の一部を示しており、主に規定部２０とその周辺の断面を例示している。図５に示した各規定部２０の構成は何れも同様である。規定部２０は、固定部６０に対して係合している。固定部６０は、凹部１３の一部であり、凹部１３をホルダー本体１１の厚み方向に貫通する貫通孔６３に臨む位置に形成されている。固定部６０は、上側を向く面６１が階段状に形成されており、段階的にその厚みが薄くなっている。なお、図６の説明に関して「上側」と言った場合はホルダー本体１１の面１２と面１７とのうち面１２側を指し、「下側」と言った場合は面１７側を指す。固定部６０の面６１と相対する規定部２０の面２３も、面６１の形状に略合せて階段状に形成されている。
【００３５】
図６の例では、規定部２０は、面２３と面２３に向き合う面２４とで固定部６０を挟みこむように、固定部６０に係合している。面２４は、固定部６０の下側の面と相対する一部範囲に、山と谷（溝）が交互に形成された係合面２４ａを有している。固定部６０においても、当該下側の面の一部範囲に、山と谷（溝）が交互に形成された係合面６２を有している。係合面２４ａと係合面６２とは噛み合っている。このような構成において、ユーザーは図６に示した矢印の方向に沿って規定部２０を移動させることができる。規定部２０は、当該移動に伴って面２３が面６１を段階的に昇り降りし、このとき、規定部２０の最も上側の面２２の位置が段階的に上下に変動する。
【００３６】
なお、このような移動を実現するために、規定部２０は在る程度柔軟性を持った素材で形成されている。図６に示すように、規定部２０は、貫通孔６３と、カバー１８を厚み方向に貫通する貫通孔２１とを貫通しており、面２２は貫通孔２１よりも上側に在る。面２２は、フィルムホルダー１０が反転させられて（図１Ｃ）スキャナー４０の原稿台４２に設置されたときに（図３）、原稿台４２（プラテンガラス４３）に接する面である。
【００３７】
すなわちユーザーは、各規定部２０を同じように移動させることにより、原稿台４２からのホルダー本体１１の高さ（距離）を調整することができ、これにより、イメージセンサー４８がフィルム３０を鮮鋭に読み取るために最適な距離にフィルム３０を位置決めすることができる。また本実施形態では、規定部２０を、ホルダー本体１１における透過部１４の周囲の枠部とカバー１８における窓１９の周囲の枠部とが重複する範囲に形成している点が特徴的である。つまり、このような範囲よりも外側に規定部２０を形成する場合と比較して、各規定部２０がよりフィルム３０に近い位置に在る。そのため、フィルムホルダー１０をスキャナー４０に設置したときのフィルム３０周辺の歪みを極力無くし、フィルム３０の窓１９から露出する部分全体の平坦性やプラテンガラス４３に対する平行度を保持することができる。
【００３８】
図７は、図５と同様の視点でホルダー本体１１の一部およびカバー１８を示したものであり、図５とは異なる例を示している。図７の例では、カバー１８における各貫通孔２１は、窓１９から独立して形成されているのではなく、窓１９と一体に形成されている。かかる構成によれば、カバー１８に窓１９および各貫通孔２１を形成するための加工の手間が少なくて済む。図５，７いずれの構成を採用する場合であっても、フィルム３０は、凹部１３とカバー１８に縁の少なくとも一部を挟まれるときに、規定部２０に干渉しないサイズあるいは形状である必要がある。
【００３９】
規定部２０の形状は、図６に示したものに限られない。例えば、規定部２０は、凹部１３側と係合しつつ移動可能とするための面形状（凹部１３側と噛み合うための係合面２４ａのような形状）を、凹部１３の貫通孔６３のいずれかの側面と相対する面に形成し、当該側面と噛み合いつつ移動するとしてもよい。あるいは、規定部２０を、凹部１３に形成されたネジ穴に螺合したネジとし、規定部２０（ネジ）を回転させることで規定部２０の高さを調整できるようにしてもよい。
【００４０】
図８は、図５，７と同様の視点でホルダー本体１１の一部およびカバー１８を示したものであり、図５，７とは異なる例を示している。図８では、規定部２０や貫通孔２１は図示を省略している。これまでは、カバー１８の短辺がホルダー本体１１に対してヒンジ２５で連結された構成を説明したが、図８の例では、カバー１８の一方の長辺がホルダー本体１１に対してヒンジ２６で連結された構成を示している。かかる構成とすることで、カバー１８の回転半径が図５，７の例よりも短くなるため、ユーザーは、より楽にカバー１８を開閉させることができる。
【００４１】
また、図８の例によれば、カバー１８の長手方向においてフィルム３０に干渉する物（ヒンジ２５）がないため、カバー１８の長辺よりも長いフィルム３０をホルダー本体１１とカバー１８とで挟むことができる。このとき、カバー１８の長手方向において、フィルム３０の一部がカバー１８の外にはみ出た状態となる。また、カバー１８の長辺よりも長いフィルム３０をホルダー本体１１とカバー１８とで挟む場合、フィルム３０の前記はみ出た部分がスキャナー４０の本体部４１と蓋部４５との連結部分に干渉しないように、原稿台４２上のフィルムホルダー１０の向きを、図３に示した向き（第一の向き）に直交する向き（第二の向き）とする必要がある。当該第二の向きを実現するために、フィルムホルダー１０を当該第二の向きとしたときに各突起１６（図１）が挿入される各穴を、原稿台４２に設けておくとしても良い。
【００４２】
図９および図１０は、図６に示した形状とは異なる形状の規定部２０等を例示している。図９は、規定部２０を含む近傍の構成を斜視図により示す。図１０Ａは、図９に示した規定部２０を含む近傍の構成を、ホルダー本体１１の面１７側からの視点による平面図で示し、図１０Ｂは、図１０ＡにおけるＡ１‐Ａ１線による断面図を示している。図９に示した構成は、カバー１８を閉じた状態でカバー１８の貫通孔２１の内側に収まる構成にほぼ等しい。図９，１０の説明に関して「上側」と言った場合はホルダー本体１１の面１２側を指し、「下側」と言った場合は面１７側を指す。図１０Ｂでは、上側が下を向き、下側が上を向いた状態（つまり、フィルムホルダー１０が上述したように反転した状態）である。
【００４３】
図９，１０において、規定部２０は、スライダー２７と一体的に形成されている。スライダー２７は、固定部６４に係合しつつも、図１０Ａ内に示す矢印の方向に沿って移動可能である。固定部６４は、凹部１３の一部分である。また、固定部６４は、上側の面の一部に、固定部６４の厚みを厚くさせる上り坂となる斜面６５を有している。ユーザーは、前記矢印の方向に沿ってスライダー２７（規定部２０の一部）を移動させる。当該移動に伴い、規定部２０は、斜面６５に乗り上げる。斜面６５に乗り上げる規定部２０は、先端部が他の部分よりも上側へ突出しており且つ丸みを帯びている。このような規定部２０の先端部は、斜面６５を上ることにより、貫通孔２１よりも上側に位置するようになる。つまり規定部２０の先端部は、フィルムホルダー１０が反転させられて（図１Ｃ，図１０Ｂ）スキャナー４０の原稿台４２に設置されたときに（図３）、原稿台４２（プラテンガラス４３）に接する。すなわち、図６に示した規定部２０と同様、図９，１０に示した規定部２０も、それを移動させることにより、原稿台４２からのホルダー本体１１の高さ（距離）を調整することができ、これにより、イメージセンサー４８がフィルム３０を鮮鋭に読み取るために最適な距離にフィルム３０を位置決めすることができる。
【００４４】
さらに、突起１６や穴４４の数や形状は上述のものに限られず、フィルムホルダー１０の位置決めができるのであれば、任意の数や形状にすることができる。
また、スキャナー４０が印刷部を有し、上述の各処理を施した画像データを印刷するようにしてもよい。
また、規定部２０がホルダー本体１１に設けられている例を説明してきたが、カバー１８に規定部２０が設けられていてもよい。ただし、通常カバー１８よりもホルダー本体１１の方が剛性が高いので、規定部２０がホルダー本体１１に設けられている方がカバー１８に設けられているよりも、高い精度を出すことができる。
【符号の説明】
【００４５】
１０…フィルムホルダー、１１…ホルダー本体、１２，１７…面、１３…凹部、１４…透過部、１５…延伸部、１６…突起、１８…カバー、１８ａ…面、１９…窓、２０…規定部、２１…貫通孔、２２，２３，２４…面、２４ａ…係合面、２５，２６…ヒンジ、２７…スライダー、３０…フィルム、４０…スキャナー、４１…本体部、４２…原稿台、４３…プラテンガラス、４４…穴、４５…蓋部、４６…ミラー、４７…レンズ、４８…イメージセンサー、４９…ＡＦＥ、５０…画像処理部、６０…固定部、６１…面、６２…係合面、６３…貫通孔、６４…固定部、６５…斜面、７０…スキャンシステム
【図１】
0006575618.tif 000002
【図２】
0006575618.tif 000003
【図３】
0006575618.tif 000004
【図４】
0006575618.tif 000005
【図５】
0006575618.tif 000006
【図６】
0006575618.tif 000007
【図７】
0006575618.tif 000008
【図８】
0006575618.tif 000009
【図９】
0006575618.tif 000010
【図１０】
0006575618.tif 000011